(57)【要約】【課題】  本発明は、裁断後の繊維シート材、代表的にはＦＲＰ（繊維強化樹脂）のプリプレグを複数枚積層して積層体を形成する積層装置および積層体形成方法に関し、裁断後の繊維シート材を、カセットに収容することなどの前処理を行なうことなく、確実に積層およびコンパクションする。【解決手段】  配膳部３１に繊維シート材１２が１枚供給されるごとにその繊維シート材を把持・搬送部３２に搬送させ、その搬送に同期させて載置台３３１を前方に移動させることにより、搬送されてきた繊維シート材を載置台上又は載置台上の繊維シート材上に載せて、載置台を後方に移動させる、という一連の制御を繰り返し実行するとともに、少なくとも載置台上にあらかじめ定められた枚数の繊維シート材が積層された段階における載置台の前方又は後方への移動時に、載置台上の繊維シート材を加圧ローラ３４１で加圧する加圧制御を実行する。【選択図】        図４
2014125285.tif 000002
【特許請求の範囲】
【請求項１】
裁断された複数枚の繊維シート材の積層体を形成する積層装置であって、
裁断後の複数枚の積層前の繊維シート材が順次に供給される配膳部と、
前記配膳部に供給された繊維シート材をロールで把持し該ロールの回転により前方斜め下方に搬送する把持・搬送部と、
前記把持・搬送部により搬送されてきた繊維シート材を載せる載置台と該載置台を前後方向に移動させる移動機構とを有し、該把持・搬送部により搬送されてきた繊維シート材を、該載置台上に載置し、又は該載置台上に既に載置されている繊維シート材上に積層する積層部と、
幅方向に延びる回転軸の回りに回転自在な加圧ローラと該加圧ローラで前記載置台上の繊維シート材を加圧する加圧機構とを有するコンパクション部と、
前記配膳部に繊維シート材が１枚供給されるごとに該配膳部に供給された繊維シート材を前記把持・搬送部に搬送させ、
前記把持・搬送部による繊維シート材の搬送に同期させて前記載置台を前方に移動させることにより、該把持・搬送部により搬送されてきた繊維シート材を該載置台上又は該載置台上の繊維シート材上に載せて、
該載置台を後方に移動させる、という一連の制御を繰り返し実行するとともに、
少なくとも前記載置台上にあらかじめ定められた枚数の繊維シート材が積層された段階における該載置台の前方又は後方への移動時に、該載置台上の繊維シート材を前記加圧ローラで加圧する加圧制御を実行する制御部とを備えたことを特徴とする積層装置。
【請求項２】
前記把持・搬送部により搬送されてきた繊維シート材と前記載置台上の繊維シート材との双方の位置および姿勢を認識する認識部と、
前記把持・搬送部により搬送されてきた繊維シート材と前記載置台上の繊維シート材との間の相対的な位置および姿勢を調整する調整機構とをさらに備えたことを特徴とする請求項１記載の積層装置。
【請求項３】
前記制御部は、前記把持・搬送部により搬送されてきた繊維シート材が前記載置台上に既に載置されている繊維シート材に接触する直前に繊維シート材の搬送を一旦停止させ、前記認識部により認識された前記双方の位置および姿勢に応じて前記調整機構に前記相対的な位置および姿勢を調整させてから、該繊維シート材の搬送を再開させる制御を行なうものであることを特徴とする請求項２記載の積層装置。
【請求項４】
裁断後の複数枚の積層前の繊維シート材が順次に供給される配膳部と、
前記配膳部に供給された繊維シート材をロールで把持し該ロールの回転により前方斜め下方に搬送する把持・搬送部と、
前記把持・搬送部により搬送されてきた繊維シート材を載せる載置台と該載置台を前後方向に移動させる移動機構とを有し、該把持・搬送部により搬送されてきた繊維シート材を、該載置台上に載置し、又は該載置台上に既に載置されている繊維シート材上に積層する積層部と、
幅方向に延びる回転軸の回りに回転自在な加圧ローラと該加圧ローラで前記載置台上の繊維シート材を加圧する加圧機構とを有するコンパクション部とを備えた積層装置を用いて、
前記配膳部に繊維シート材が１枚供給されるごとに該配膳部に供給された繊維シート材を前記把持・搬送部に搬送させ、
前記把持・搬送部による繊維シート材の搬送に同期させて前記載置台を前方に移動させることにより、該把持・搬送部により搬送されてきた繊維シート材を該載置台上又は該載置台上の繊維シート材上に載せて、
該載置台を後方に移動させる、という一連の工程を繰り返すとともに、
少なくとも前記載置台上にあらかじめ定められた枚数の繊維シート材が積層された段階における該載置台の前方又は後方への移動時に、該載置台上の繊維シート材を前記加圧ローラで加圧することにより、裁断された複数枚の繊維シート材の積層体を形成することを特徴とする積層体形成方法。
【請求項５】
前記積層装置が、
前記把持・搬送部により搬送されてきた繊維シート材と前記載置台上の繊維シート材との双方の位置および姿勢を認識する認識部と、
前記把持・搬送部により搬送されてきた繊維シート材と前記載置台上の繊維シート材との間の相対的な位置および姿勢を調整する調整機構とをさらに備えた装置であって、
前記把持・搬送部により搬送されてきた繊維シート材先端が前記載置台上の繊維シート材に接触する直前に繊維シート材の搬送を一旦停止させ、前記認識部により認識された前記双方の位置および姿勢に応じて前記調整機構に前記相対的な位置および姿勢を調整させてから、該繊維シート材の搬送を再開させることを特徴とする請求項４記載の積層体形成方法。
【発明の詳細な説明】
【技術分野】
【０００１】
本発明は、裁断後の繊維シート材、代表的にはＦＲＰ（繊維強化樹脂）のプリプレグ（繊維に未硬化の樹脂を含浸させたもの）を複数枚積層して積層体を形成する積層装置および積層体形成方法に関する。
【背景技術】
【０００２】
テープ状の長尺の繊維シート材を用いて繊維シートの積層体を形成する装置については、様々なタイプのものが提案されている（例えば、特許文献１〜３参照）。
【０００３】
ところが、裁断後のプリプレグはテープ状のものよりも取扱いが難しく、従来は、裁断後のプリプレグを取扱う場合は、指定された枚数のプリプレグを手作業で指定された位置へ順番に積層することでプリプレグの積層体を形成している。また、この積層体には、真空吸引による大気圧を利用した、プリプレグ同士の密着（コンパクション）の作業が随時行なわれる。
【０００４】
ここで、特許文献４には、可視光硬化プリプレグの材料に関する提案があり、この特許文献４には、裁断後のプリプレグをカセットに収容することで取扱い性を高めた装置の概要が示されている。
【先行技術文献】
【特許文献】
【０００５】
【特許文献１】特開平５−２００８９８号公報
【特許文献２】特開２０５−２９７５１３号公報
【特許文献３】特開２００６−２１８７２０号公報
【特許文献４】特開２００６−２８１５４８号公報
【発明の概要】
【発明が解決しようとする課題】
【０００６】
上記の、手作業で積層する方法では、手作業による製造コストの上昇、作業者の違いによる品質のばらつき、積層作業とコンパクション作業の分離による作業時間の増加等の課題がある。
【０００７】
また、上掲の特許文献４に紹介されている装置は、積層、コンパクション、および光照射を１台で行なうものであるが、前作業としてプリプレグをカセットに収容する必要があり、必ずしも作業効率が良いとは言い難い。
【０００８】
本発明は、上記事情に鑑み、裁断後のプリプレグ等の繊維シート材を、カセットに収容することなどの前処理を行なうことなく、確実に積層およびコンパクションすることが可能な積層装置および積層体形成方法を提供することを目的とする。
【課題を解決するための手段】
【０００９】
上記目的を達成する本発明の積層装置は、
裁断された複数枚の繊維シート材の積層体を形成する積層装置であって、
裁断後の複数枚の積層前の繊維シート材が順次に供給される配膳部と、
配膳部に供給された繊維シート材をロールで把持しロールの回転により前方斜め下方に搬送する把持・搬送部と、
把持・搬送部により搬送されてきた繊維シート材を載せる載置台とその載置台を前後方向に移動させる移動機構とを有し、把持・搬送部により搬送されてきた繊維シート材を、載置台上に載置し、又は載置台上に既に載置されている繊維シート材上に積層する積層部と、
幅方向に延びる回転軸の回りに回転自在な加圧ローラとその加圧ローラで載置台上の繊維シート材を加圧する加圧機構とを有するコンパクション部と、
配膳部に繊維シート材が１枚供給されるごとにその配膳部に供給された繊維シート材を把持・搬送部に搬送させ、
把持・搬送部による繊維シート材の搬送に同期させて載置台を前方に移動させることにより、把持・搬送部により搬送されてきた繊維シート材を載置台上又は載置台上の繊維シート材上に載せて、
載置台を後方に移動させる、という一連の制御を繰り返し実行するとともに、
少なくとも載置台上にあらかじめ定められた枚数の繊維シート材が積層された段階における載置台の前方又は後方への移動時に、載置台上の繊維シート材を加圧ローラで加圧する加圧制御を実行する制御部とを備えたことを特徴とする。
【００１０】
本発明の積層装置は、繊維シート材を１枚ずつローラで前方斜め下向きに搬送し、その繊維シート材の搬送に同期させて載置台を移動させてその繊維シート材を載置台上に載置し、又はその載置台上に既に載置されている繊維シート材上に積層して、コンパクションを行なう構成であり、カセットに収容することなどの前処理を行なうことなしに繊維シート材の積層体を形成することができる。
【００１１】
ここで、本発明の積層装置において、把持・搬送部により搬送されてきた繊維シート材と載置台上の繊維シート材との双方の位置および姿勢を認識する認識部と、
把持・搬送部により搬送されてきた繊維シート材と載置台上の繊維シート材との間の相対的な位置および姿勢を調整する調整機構とをさらに備えることが好ましい。
【００１２】
認識部と調整機構を備えると、ローラによる繊維シート材の搬送の精度が十分でなくても正確な積層が可能となる。
【００１３】
この場合にさらに、上記制御部は、把持・搬送部により搬送されてきた繊維シート材が載置台上に既に載置されている繊維シート材に接触する直前に繊維シート材の搬送を一旦停止させ、認識部により認識された上記の双方の位置および姿勢に応じて調整機構に相対的な位置および姿勢を調整させてから、繊維シート材の搬送を再開させる制御を行なうものであることが好ましい。
【００１４】
ローラによる繊維シート材の搬送を一旦停止させて認識部による認識および調整機構による調整を行なうことにより、積層の精度を一層向上させることができる。
【００１５】
また、上記目的を達成する本発明の積層体形成方法は、
裁断後の複数枚の積層前の繊維シート材が順次に供給される配膳部と、
配膳部に供給された繊維シート材をロールで把持しロールの回転により前方斜め下方に搬送する把持・搬送部と、
把持・搬送部により搬送されてきた繊維シート材を載せる載置台とその載置台を前後方向に移動させる移動機構とを有し、把持・搬送部により搬送されてきた繊維シート材を、載置台上に載置し、又は載置台上に既に載置されている繊維シート材上に積層する積層部と、
幅方向に延びる回転軸の回りに回転自在な加圧ローラとその加圧ローラで載置台上の繊維シート材を加圧する加圧機構とを有するコンパクション部とを備えた積層装置を用いて、
配膳部に繊維シート材が１枚供給されるごとにその配膳部に供給された繊維シート材を把持・搬送部に搬送させ、
把持・搬送部による繊維シート材の搬送に同期させて載置台を前方に移動させることにより、把持・搬送部により搬送されてきた繊維シート材を載置台上又は載置台上の繊維シート材上に載せて、
載置台を後方に移動させる、という一連の工程を繰り返すとともに、
少なくとも載置台上にあらかじめ定められた枚数の繊維シート材が積層された段階における載置台の前方又は後方への移動時に、載置台上の繊維シート材を加圧ローラで加圧することにより、裁断された複数枚の繊維シート材の積層体を形成することを特徴とする。
【００１６】
ここで本発明の積層体形成方法において、
上記積層装置が、
把持・搬送部により搬送されてきた繊維シート材と載置台上の繊維シート材との双方の位置および姿勢を認識する認識部と、
把持・搬送部により搬送されてきた繊維シート材と載置台上の繊維シート材との間の相対的な位置および姿勢を調整する調整機構とをさらに備えた装置であって、
把持・搬送部により搬送されてきた繊維シート材が載置台上の繊維シート材に接触する直前に繊維シート材の搬送を一旦停止させ、認識部により認識された上記の双方の位置および姿勢に応じて調整機構に相対的な位置および姿勢を調整させてから、繊維シート材の搬送を再開させることが好ましい。
【発明の効果】
【００１７】
以上の本発明によれば、カセットへの収容などの前処理を行なうことなく、繊維シート材を確実に積層してコンパクションを行なうことができる。
【図面の簡単な説明】
【００１８】
【図１】本発明の積層装置の一実施形態である自動積層装置を含む、ＦＲＰの積層部品作製に関わる装置を工程順に示したブロック図である。
【図２】図１に示す各装置の役割を示す模式図である。
【図３】図１に１つのブロックで示す自動積層装置の概略平面図である。
【図４】図１に１つのブロックで示す自動積層装置の概略正面図である。
【図５】図３，図４に示す自動積層装置の動作フローを示すフローチャートである。
【発明を実施するための形態】
【００１９】
以下、本発明の実施形態を説明する。
【００２０】
図１は、本発明の積層装置の一実施形態である自動積層装置を含む、ＦＲＰの積層部品作製に関わる装置を工程順に示したブロック図である。
【００２１】
また、図２は、図１に示す各装置の役割を示す模式図である。
【００２２】
分かり易さのために、図１の各ブロックと、それら各ブロックの役割を示す図２の各模式図とで同一の符号を付して示す。
【００２３】
図１には、プリプレグ自動裁断機１０、自動ライナー剥がし装置２０、本実施形態としての自動積層装置３０、ホットドレープ装置４０、およびオートクレーブ５０が、各１つずつのブロックで示されている。
【００２４】
プリプレグ自動裁断機１０では、図２に示すように、繊維に未硬化の樹脂を含浸させたＦＲＰのシート１１が裁断されて、必要な寸法、形状のプリプレグ１２が生成される。このＦＲＰのシート１１には、その両面に保護用の薄膜（ライナー）が貼り付けられている。このため、裁断後のプリプレグ１２にも、この段階ではその両面にライナーが貼り付けられている。
【００２５】
この裁断後のプリプレグ１２は、自動ライナー剥がし装置２０に引き渡される。自動ライナー剥がし装置２０は、プリプレグ自動裁断機１０から受け取ったプリプレグ１２の両面のライナー１２１を剥がし、両面が剥き出しのプリプレグ１２とする装置である。
【００２６】
自動ライナー剥がし装置２０でライナー１２１が剥がされた後の剥き出しのプリプレグ１２は、１枚ずつ自動積層装置３０に引き渡される。この自動積層装置３０では、その引き渡されたプリプレグ１２が載置台３３１上に１枚ずつ順次積層されて、プリプレグ１２の積層体が形成される。この自動積層装置３０については後で詳述する。
【００２７】
この自動積層装置３０で形成された積層体１２０は、ホットドレープ装置４０に引き渡される。
【００２８】
このホットドレープ装置４０では、図２（ｃ）に示すように、プリプレグの積層体１２０が型４１に当てがわれ、図２（ｄ）に示すように、型４１の形状に合う形状に賦形される。その後、その折り曲げ後の積層体１２０は、型４１と一緒に真空パックされ、そのままオートクレーブ５０に引き渡される。オートクレーブ５０は真空パックされた型付きの積層体１２０を加熱・加圧する。これにより硬化したＦＲＰの部品が作製される。
【００２９】
本実施形態の自動積層装置３０は、この一連の工程の中でプリプレグ１２の積層を担う装置である。
【００３０】
図３は、図１に１つのブロックで示す自動積層装置の概略平面図、図４は、その自動積層装置の概略正面図である。
【００３１】
この自動積層装置３０は、裁断された複数枚のプリプレグ１２の積層体を形成する装置である。
【００３２】
この自動積層装置３０は、配膳部３１、把持・搬送部３２、積層部３３、コンパクション部３４、および制御装置３５を備えている。
【００３３】
配膳部３１には、矢印Ａ−Ａ’方向に往復自在な配膳台３１１が備えられている。
【００３４】
この配膳台３１１には、自動ライナー剥がし装置２０（図１，図２参照）で両面のライナー１２１が剥がされた後の剥き出しのプリプレグ１２が置かれる。自動ライナー剥がし装置２０からこの配膳台３１１へのプリプレグの搬送は、吸盤付きのハンドリング装置（図示せず）が担っており、プリプレグ１２はそのハンドリング装置で持ち上げられて、矢印Ａ方向に移動した状態で待機している配膳台３１１の上に、プリプレグ１２の先端部１２ａが配膳台３１１の把持・搬送部３２側の端縁から食み出した状態に載置される。１枚のプリプレグ１２が配膳台３１１の上に置かれると、その情報が制御装置３５に通知される。制御装置３５はその通知を受け、配膳台３１１を把持・搬送部３２側（矢印Ａ’方向）に移動させる。
【００３５】
把持・搬送部３２は、プロプレグ１２の搬送路に沿って配列された、複数のローラ３２１を有する。これらのローラ３２１は、モータによって矢印Ｂ方向に回転駆動されてプリプレグ１２を搬送移動するモータローラ３２１ａと、プリプレグ１２を押える役割を有しプリプレグ１２が搬送されることによって回転するフリーローラ３２１ｂとで構成されている。
【００３６】
モータローラ３２１ａは、制御部３５によって回転および停止が制御される。
【００３７】
配膳台３１１にプリプレグ１２が置かれてその配膳台３１１が把持・搬送部３２側（矢印Ａ’方向）に移動すると、プリプレグ１２の、配膳台３１１の端部から食み出ている先端部１２ａが、把持・搬送部３２を構成する複数のローラ３２１のうちの配膳部３１寄りの上下の２つのローラ３２１によって把持される。そしてそのプリプレグ１２はローラ３２１の配列に沿って前方斜め下方に搬送される。
【００３８】
積層部３３は、載置台３３１と、その載置台３３１をレール３３２ａに沿って前後方向（図４に示す矢印Ｃ−Ｃ’方向）に移動させる移動機構３３２を備えている。この積層部３３にはさらに、載置台３３１を幅方向（図３に示す矢印Ｄ−Ｄ’方向）に移動させる移動機構３３３と、載置台３３１を上下方向（図４に示す矢印Ｅ−Ｅ’方向）に移動させる移動機構３３４も備えられている。この載置台３３１を上下方向に移動させる移動機構３３４は、載置台３３１を水平面内で回転させる（図３に示す矢印Ｆ−Ｆ’方向に回転させる）回転機構も備えている。これらに移動機構３３２，３３３，３３４は、それらの組合せにより、本発明にいう調整機構の一例を構成している。載置台３３１の幅方向中央には、把持・搬送部３２のローラ３２１によって搬送されてきたプリプレグ１２の先端が突き当てられる突当ピン３３５が突出している。この突当ピン３３５は、バネ付勢により突出していて、後述する加圧ローラ３４１が上に乗って引っ込む構造となっている。この載置台３３１は、移動機構３３２によって前方（矢印Ｃ’方向）に移動し、その移動の間に、把持・搬送部３２によって搬送されてきたプリプレグが載置台３３１上に載置され、又はその載置台３３１上に既に載置されているプリプレグ上に積層される。
【００３９】
また、コンパクション部３４は、加圧ローラ３４１を備えている。この加圧ローラ３４１は、幅方向（図３に示す矢印Ｄ−Ｄ’方向）に延びる回転軸３４１ａの回りに回転自在なローラである。載置台３３１が前方（矢印Ｃ’方向）に移動し、その移動に伴って載置台３３１上又はその載置台３３１上に既に置かれているプリプレグ上に新たに置かれたプリプレグは、加圧ローラ３４１により上から押圧（コンパクション）される。
【００４０】
このコンパクション部３４は、レール３３２ａの両側にそれぞれ立設した柱３４２と、それらの柱３４２の上端どうしを繋ぐ梁３４３を備えており、その梁３４３には取付部材３４４を介してプランジャ３４５が取り付けられている。加圧ローラ３４１は、このプランジャ３４５に連結されている。プランジャ３４５は、加圧ローラ３４１を上下方向（矢印Ｇ−Ｇ’方向）に移動させるものである。このプランジャ３４５は、加圧ローラ３４１を下向（矢印Ｇ方向）に移動させることにより加圧ローラ３４１にプリプレグ１２を押圧させる加圧機構としての役割を担っている。
【００４１】
さらに、この自動積層装置３０は、プリプレグ１２の把持・搬送部３２からの出口付近にセンサ３６１とカメラ３６２とからなるセンサ部３６を備えている。センサ３６１は、把持・搬送部３２のローラ３２１によって搬送されてきたプリプレグ１２の先端が規定の位置に達したことを検出して制御装置３５に通知するセンサである。また、カメラ３６２は、載置台３３１上に既に置かれているプリプレグと、把持・搬送部３２のローラ３２１によって今回搬送されてきたプリプレグとの双方の先端部分を映し出すカメラである。カメラ３６２で撮影された画像も制御装置３５に入力される。制御装置３５は、入力されてきた画像に基づいて、今回搬送されてきたプリプレグ１２の位置および姿勢が認識される。そしてこの制御装置３５は、今回搬送されてきたプリプレグ１２が、最初の１枚のプリプレグであって載置台３３１にはプリプレグが未だ載置されていない場合は、今回搬送されてきたプリプレグ１２が載置台３３１の既定の位置および姿勢に正しく載置されるように載置台３３１の位置および姿勢を調整する。また制御装置３５は、載置台３３１上に既に載置されているプリプレグが存在するときは、入力された画像に基づいて、今回搬送されてきたプリプレグ１２の位置および姿勢に加え、載置台３３１上のプリプレグ１２の位置および姿勢も認識される。そしてこの制御装置３５は、今回搬送されてきたプリプレグ１２が載置台３３１上に既に載置されているプリプレグの上に正確に積層されるように、載置台３３１の位置および姿勢を調整する。
【００４２】
載置台３３１の位置および姿勢の調整にあたっては、移動機構３３３が、載置台３３１の幅方向の位置が搬送されてきたプリプレグ１２の幅方向位置に合うように載置台３３１を移動させ、かつ移動機構３３４が、載置台３３１の水平面内での回転方向の姿勢が搬送されてきたプリプレグ１２の姿勢に合うように調整する。さらに、ここでは、移動機構３３４により、載置台３３１上に既に載置（積層）されているプリプレグの枚数に応じて、載置台３３１の高さ位置の調整も行なわれる。
【００４３】
すなわち、カメラ３６２と、制御装置３５の、プリプレグ１２の先端の位置および姿勢の認識処理を合わせたものが、本発明にいう認識部の一例に相当する。
【００４４】
図５は、図３，図４に示す自動積層装置３０の動作フローを示すフローチャートである。このフローチャートに従う動作は、制御装置３５の制御によって実行される。
【００４５】
載置台３３１上にプリプレグ１２を積層するにあたっては、先ず、配膳台３１１上にプリプレグが置かれるまで待機する（ステップＳ０１）。
【００４６】
ハンドリング装置（図示せず）により、プリプレグ１２が自動ライナー剥がし装置２０（図１参照）からこの自動積層装置３０に搬送されて、そのプリプレグ１２が自動積層装置３０の配膳台３１１上に置かれると、プリプレグ１２が配膳台３１１上に置かれたことがそのハンドリング装置により制御装置３５に通知される。すると、制御装置３５は、配膳台３１１を前方（把持・搬送部３２側，矢印Ａ’方向）に移動させ（ステップＳ０２）、把持・搬送部３２のモータローラ３２１ａを回転させる。すると、配膳台３１１上のプリプレグ１２が、把持・搬送部３２のローラ３２１により把持されて搬送される（ステップＳ０３）。この搬送が開始されると、次のプリプレグを配膳台３１１に置くことができるように、載置台３３１が初期位置（矢印Ａ方向）に戻される（ステップＳ０４）。ローラ３２１によるプリプレグ１２の搬送は、センサ３６１によりプリプレグ２１の先端が検出されるまで続行され（ステップＳ０５）、センサ３６１によりプリプレグ２１の先端が検出された時点でモータローラ３２１ａの回転が停止する（ステップＳ０６）。
【００４７】
次にカメラ３６２により、搬送されてきたプリプレグ１２の先端部、および載置台３３１上に既に置かれているプリプレグが存在するときにはその載置台３３１上のプリプレグの先端部の画像が取り込まれて制御装置３５に送られ、制御装置３５によりそれらのプリプレグの位置および姿勢の認識処理が行なわれる（ステップＳ０７）。次いで制御装置３５は、載置台３３１の位置および姿勢を、認識されたプリプレグの位置および姿勢に応じた位置および姿勢に調整する（ステップＳ０８）。この調整が終わると、制御装置３５は、把持・搬送部３２のローラ３２１による、プリプレグ１２の搬送を再開させる（ステップＳ０９）。また、プリプレグの搬送の再開されると、そのプリプレグ１２の搬送に同期して載置台３３１が前方（矢印Ｃ’方向）に移動を開始し、搬送されてきたプリプレグの載置台３３１上への載置が開始され、又は、その載置台上のプリプレグへの積層が開始される（ステップＳ１０）。
【００４８】
さらに、加圧ローラ３４１を降下させて加圧ローラ３４１に載置台３３１に載置又は積層されつつあるプリプレグを押下（コンパクション）させる（ステップＳ１１）。
【００４９】
今回搬送されてきたプリプレグの載置台３３１への載置又は積層、およびコンパクションが終了すると、載置台３３１が停止し（ステップＳ１２）、加圧ローラ３４１が持ち上げられる（ステップＳ１３）。制御装置３５ではさらに、載置台３３１上に今回のＦＲＰの積層体を形成するのに必要な規定枚数のプリプレグが積層されたか否かが判定される（ステップＳ１４）。未だ規定枚数まで積層されていないときは、ステップＳ１５に進んで、載置台３３１が初期位置（矢印Ｃ方向に戻った位置）に移動し、配膳台３１１に次のプリプレグが置かれるのを待つ状態（ステップＳ０１）となる。
【００５０】
一方、ステップＳ１４において載置台３３１上に、１つの積層体の形成に必要な規定枚数のプリプレグが積層されたことが判定されると、載置台３３１上からその積層体が取り出されるまで待機する（ステップＳ１６）。載置台３３１上の積層体は、吸盤付きの図示しないハンドリング装置により持ち上げられて、次工程の装置であるホットドレープ装置４０（図１参照）に引き渡される。載置台３３１から積層体が取り出されたことは、その取出しを担当しているハンドリング装置から制御装置３５に通知される。制御装置３５は、積層体取出しの通知を受けると、載置台３３１を初期位置に移動させる（ステップＳ１７）。制御装置３５ではさらに、今回作製しようとしている積層体が規定枚数に達したか否かが判定され（ステップＳ１８）、規定枚数には未だ達していないときはステップＳ０１に戻って配膳台３１１に次のプリプレグが置かれるのを待つ状態となる。一方、積層体の形成が規定枚数に達したときは、この自動積層装置３０の動作を終了する。
【００５１】
尚、この図５に示す動作フローは、１枚のプリプレグの処理が完了してから次のプリプレグの処理を開始する動作フローであるが、ステップＳ０９のプリプレグの再開の時点で次のプリプレグの把持および搬送を同時に開始するように、連続的な処理を行なってもよい。
【００５２】
また、図５の動作フローは、載置台３３１上に最初に載置されたプリプレグについてもコンパクション動作を行なう動作フローであるが、最初の１枚のプリプレグについてはコンパクション動作は行なわずにその次のプリプレグが積層されたときからコンパクション動作を行なう構成としてもよい。また、プリプレグの厚さや柔軟性など、そのプリプレグの性質によっては、コンパクション動作は１枚おきあるいは２枚おきなど、載置台３３１上にプリプレグが複数枚積層されるごとにコンパクション動作を行なってもよい。さらにはそのプリプレグの性質によっては、規定枚数のうちの最後のプリプレグが積層された時点でのみコンパクション動作を行なってもよい。
【００５３】
また図５の動作フローは、載置台３３１を前方（矢印Ｃ’方向）に移動させるとともにコンパクション動作を行なっているが、初期位置へ戻るとき（矢印Ｃ方向に移動するとき）にコンパクション動作を行なってもよい。
【００５４】
また、図３，図４に示す自動積層装置３０では、プリプレグの搬送を一旦停止させてから位置および姿勢の調整を行なっているが、プリプレグの搬送を停止させることなく、その搬送中に位置および姿勢を調整する構成としてもよい。
【００５５】
さらに、上述の実施形態は、プリプレグを正確に積層させるために載置台３３１を調整する構成の装置であるが、把持・搬送部３２の位置および姿勢を調整する構成としてもよい。
【００５６】
尚、ここでは、ＦＲＰ（繊維強化樹脂）のプリプレグ（繊維に未硬化の樹脂を含浸させたもの）を積層する自動積層装置およびＦＲＰのプリプレグを積層する積層体形成方法について説明したが、本発明の積層装置および積層体形成方法は、ＦＲＰのプリプレグを取り扱うものには限定されず、裁断後のシート材を取り扱うものであればよい。例えば一方向性繊維に樹脂を含浸させたプリプレグや樹脂を含浸する前の繊維材を取り扱うものであってもよい。また、本発明は繊維や樹脂の材料を限定するものでもない。
【符号の説明】
【００５７】
１０    プリプレグ自動裁断機
１１    シート
１２    プリプレグ
１２ａ    先端部
２０    自動ライナー剥がし装置
３０    自動積載装置
３１    配膳部
３２    把持・搬送部
３３    積層部
３４    コンパクション部
３５    制御装置
４０    ホットドレープ装置
４１    型
５０    オートクレーブ装置
１２０    積層体
１２１    ライナー
３１１    配膳台
３２１    ローラ
３２１ａ    モータローラ
３２１ｂ    フリーローラ
３３１    載置台
３３２，３３３，３３４    移動機構
３３５    突当ピン
３４１    加圧ローラ
３６１    センサ
３６２    カメラ
【図１】
2014125285.tif 000003
【図２】
2014125285.tif 000004
【図３】
2014125285.tif 000005
【図４】
2014125285.tif 000006
【図５】
2014125285.tif 000007